(57)【特許請求の範囲】
【請求項１】
入口（５８）、出口（５６）およびベント（６６）を備えて、動作的に相互接続している三方コネクタ（５１）を含むバルブアセンブリ（５０）であって、前記入口（５８）は、使用中、アスピレータ・チューブに動作的に接続可能であり、前記出口（５６）は、使用中、注射器（８２）に動作的に接続可能であり、前記ベントは、使用中、前記三方コネクタ（５１）から出て行く流体の流れを許容する一方向バルブ（７０）を備え、前記入口（５８）は、多孔性のまたは穿孔された要素（６２）を包含するレセプタクル（６０）を備え、前記多孔性のまたは穿孔された要素（６２）は、乾燥しているときに、前記三方コネクタ（５１）へのガスの流入を許容するが、液体により濡れているときに、前記三方コネクタ（５１）への液体の流入を阻止するかまたは妨げ、前記多孔性のまたは穿孔された要素（６２）の抵抗は、前記一方向バルブ（７０）の抵抗よりも大きい、ことを特徴とする、バルブアセンブリ（５０）。
【請求項２】
請求項１の前記バルブアセンブリ（５０）の前記入口に動作的に接続されるアスピレータ・チューブ、および前記出口（５６）に動作的に接続される注射器（８２）、を備える、アスピレータ。
【請求項３】
前記レセプタクル（６０）は、吸い込まれた流体および／またはガスおよび／または空気の量を包含するための中空の内方部分を備える、請求項１または２に記載のバルブアセンブリ（５０）またはアスピレータ。
【請求項４】
前記レセプタクル（６０）は、観察窓を備える、請求項１〜３のいずれか１項に記載のバルブアセンブリ（５０）またはアスピレータ。
【請求項５】
前記レセプタクル（６０）は、透明材料で少なくとも部分的に製造される、請求項１〜４のいずれか１項に記載のバルブアセンブリ（５０）またはアスピレータ。
【請求項６】
前記レセプタクル（６０）は、中空の内部容積を形成するために一緒にスナップ嵌合する２つの構成要素を備え、前記２つの構成要素の周辺エッジは、前記２つの構成要素が一緒にスナップ嵌合されるときに、相互間に前記多孔性のまたは穿孔された要素（６２）が密封してクランプされる対向する当接面を各々備える、請求項１〜５のいずれか１項に記載のバルブアセンブリ（５０）またはアスピレータ。
【請求項７】
前記レセプタクル（６０）は、装置の残りのものから着脱可能である、請求項１〜６のいずれか１項に記載のバルブアセンブリ（５０）またはアスピレータ。
【請求項８】
前記多孔性のまたは穿孔された要素（６２）は、紙またはカードで製造され、前記多孔性のまたは穿孔された要素（６２）は、乾燥しているときに、空気またはガスが材料を通過することができる孔または穿孔を備えるが、前記多孔性のまたは穿孔された要素（６２）は、例えば吸い込まれた液体によって濡れているときに、前記液体が前記孔または穿孔を閉鎖して、これにより、流体（空気および／またはガスおよび／または液体）がそれを通過することを妨げる、請求項１〜７のいずれか１項に記載のバルブアセンブリ（５０）またはアスピレータ。
【請求項９】
前記多孔性のまたは穿孔された要素（６２）は、試薬またはテスト化学製品を含浸される、請求項１〜８のいずれか１項に記載のバルブアセンブリ（５０）またはアスピレータ。
【請求項１０】
前記試薬またはテスト化学製品は、標的物質との接触に応じて色を変えるものである、請求項９に記載のバルブアセンブリ（５０）またはアスピレータ。
【請求項１１】
前記標的物質は、酸、塩基（アルカリ）、炭水化物、ブドウ糖、糖分、血液、鉄分、タンパク質、ケトン、ビリルビン、ウロビリノーゲン、硝酸塩、および白血球、を含む群のうちの任意の１つ以上である、請求項１０に記載のバルブアセンブリ（５０）またはアスピレータ。
【請求項１２】
前記多孔性のまたは穿孔された要素（６２）は、酸または塩基との接触で色が変わるリトマス試験紙から製造される、請求項１０に記載のバルブアセンブリ（５０）またはアスピレータ。
【請求項１３】
前記三方コネクタ（５１）の前記入口（５８）、出口（５６）およびベント（６６）は、それに対して取り外し可能に接続する品目用のコネクタを備える、請求項１〜１２のいずれか１項に記載のバルブアセンブリ（５０）またはアスピレータ。
【請求項１４】
前記コネクタは、ルアーロック・コネクタ、バヨネット式の部品、ねじ、およびプッシュ式コネクタ、を含む群のうちの任意の１つ以上である、請求項１３に記載のバルブアセンブリ（５０）またはアスピレータ。
【請求項１５】
前記入口は、雌のルアーロック・コネクタを備える、請求項１３または１４に記載のバルブアセンブリ（５０）またはアスピレータ。
【請求項１６】
前記出口は、雄のルアーまたはルアーロック・コネクタを備える、請求項１３または１４に記載のバルブアセンブリ（５０）またはアスピレータ。
【請求項１７】
前記ベントは、ルアーロック・コネクタを備える、請求項１３または１４に記載のバルブアセンブリ（５０）またはアスピレータ。
【請求項１８】
前記一方向バルブ（７０）は、浮動性のディスクを備え、前記浮動性のディスクは、その周辺部が前記一方向バルブ（７０）の周辺エッジを密封して係合する封止位置と、その周辺部が前記一方向バルブ（７０）の周辺エッジを係合しない開放位置との間を移動することができる、請求項１〜１７のいずれか１項に記載のバルブアセンブリ（５０）またはアスピレータ。
【請求項１９】
前記注射器の容量は、実質的に１００ｍｌ以下である、請求項１または２に記載のバルブアセンブリ（５０）またはアスピレータ。
【請求項２０】
前記注射器の容量は、実質的に５０ｍｌ以下である、請求項１または２に記載のバルブアセンブリ（５０）またはアスピレータ。
【請求項２１】
前記注射器の容量は、実質的に１０ｍｌ以下である、請求項１または２に記載のバルブアセンブリ（５０）またはアスピレータ。
【請求項２２】
前記注射器の容量は、実質的に５ｍｌ以下である、請求項１または２に記載のバルブアセンブリ（５０）またはアスピレータ。
【発明の詳細な説明】
【技術分野】
【０００１】
本発明は、アスピレータに、そして特に、しかし限定されるものではないが、人間または動物の患者の体腔内から流体を引くために適したアスピレータに関する。
【背景技術】
【０００２】
アスピレータは、診断、サンプリングおよび／または治療の目的のために、体腔内から流体が引かれることを必要とする医学手順の範囲において使用される。
特許文献１（米国特許第３５７２３７５号）および特許文献２（米国特許出願公開第２０１３／１７２７８１号）は、アスピレータ・チューブ、真空源およびベントを相互接続するための三方コネクタを使用する周知の装置の例である。そしてそれは、体腔内から流体を引くために、または胃を減圧するために使用することができる。特許文献２は、コネクタの外部の液体の流れを防止するように構成される穿孔された要素の使用も開示する。
【０００３】
ポンプされるアスピレータは、体腔に挿入されることができるかまたは供給されることができるチューブに接続される真空ポンプを概して含む。そうすると、ポンプがスイッチオンされると、ポンプからの真空は、もちろん、チューブの先端が吸い込まれる流体の範囲内に位置して設けられるチューブを通して、体腔から流体を引く。ポンプに損害を与えることができておよび／またはポンプを汚染することができる、吸い込まれた液体がポンプに引き入れられるのを防止するために、液体トラップは、通常、チューブと真空ポンプとの間に配置される。真空ポンプ・アスピレータを使用するときには、真空が高過ぎないことを、そして吸い込みの量および率がモニタされることを確実にするために気に掛ける必要がある。モニタリングおよび制御回路は、経験豊かなオペレータの手動介入と同様に、これを容易にするためにしばしば用いることができる。
【０００４】
比較的少量の流体だけが吸い込まれることを必要とする所で、開業医が真空ポンプベースのアスピレータの代わりに注射器ベースのアスピレータを使用することはよくある。こうした状況では、アスピレータ・チューブの端部に接続される前に、注射器は、空にされる（すなわちそのプランジャが押し込まれる）。もちろん、これの前に、アスピレータ・チューブは、周知の方法で、すなわち、剛性のためにそれに挿入されるガイドワイヤとともにチューブを供給することによって、そして、チューブの先端の位置が所望の位置に達するに際して、チューブの先端を体腔から延びるままにしておくためにガイドワイヤを引っ込めることによって、体腔に挿入されている。アスピレータ・チューブが正しく挿入されるときに、その先端は、吸い込まれる液体に沈められる。次いで、液体を吸い込むためにアスピレータ・チューブの自由端にポンプまたは注射器を接続することは、比較的直接の作業でなければならない。注射器ベースのアスピレータの場合、チューブ内に真空をつくるために、注射器のプランジャを引っ込めることによって、これは達成される。そしてその真空は、液体を吸い込むために用いることができる。
【０００５】
一般的に言って、注射器は、無菌の、安価な、使い捨て可能な品目である。そのため、吸い込まれる流体を注射器に引き入れる課題は、通常課題ではない。したがって、液体入来に対して注射器を保護するおよび／または防護する、すなわち流体トラップまたはいかなる制御も提供する必要は、通常ない。事実、ほとんどの場合、もちろん、熟練したオペレータと同様に、フレキシブルチューブに接続された単純な注射器は、通常、必要とされる全部である。
【０００６】
それらの比較的単純性および低コストにもかかわらず、周知の注射器ベースのアスピレータは、多くの課題がある。第１に、開業医が比較的長いパイプを通して流体（特に液体）（特に比較的粘性流体）を吸い込むことを試みる場合、特大の注射器を用いることを必要とする。その理由は、等温拡張プロセスにおける空気のボリュームと圧力との間の関係の性質に起因して、吸い込まれる流体にも作用する特に気圧および重力の影響に対して、チューブに沿って流体を引くために充分な真空を達成するために、注射器のボリュームは、チューブの内部容積よりもかなり大きい必要があるということである。
【０００７】
第２に、アスピレータ・チューブの内側壁が疎水性（それによって吸い込まれる疎液性を一般に意味する）でない限り、粘性液は、流体力学的抗力を発揮して、そして、吸い込まれた流体は、これも引きずるためにリードするチューブの側壁にくっつく。これが意味するものは、注射器によって提供される真空が非粘性液用に比べてより大きいことが必要であるということである。
【０００８】
第３に、チューブの中の空気量は、流体自体と同様に吸い込まれることを必要とする。これは、より細い孔のチューブを使用することによって、ある程度は、反対に作用されることができる。しかし、より細いチューブは、詰まりおよび締めつけにより影響されやすい傾向があり、ならびに、粘性の吸い込まれる液体の流体力学的抗力を増加させ、したがって、この点に関して妥協が見つかることを必要とする。
【０００９】
上記の結果は、実際には、開業医が、吸い込まれる流体のボリュームよりも１０倍〜１００倍ほどのボリュームの注射器（例えば、１滴の吸い込まれる流体のための５０ｍｌの注射器、または２〜３ｍｌの吸い込まれる流体のための１００ｍｌの注射器）を必要とする傾向があるということである。しかしながら、より大きい注射器は、取扱いがより不便であり、購入するのにより高価であり、保管および輸送によりかさばり、そして、より小さい注射器に比べて医学環境においてより短い供給にある傾向がある。
【００１０】
にもかかわらず、多くの例において、１００倍大きい注射器でさえ、最初の試み（注射器プランジャの最初の引き出し）の間、流体（特に液体）を吸い込むには不十分である。そして、最初の試みが不成功である場合、開業医には、注射器タイプのアスピレータを用いて、２つの選択がある。第１に、開業医は、（１）チューブをつまみ塞ぎ（その中に真空を維持するために）、（２）チューブから注射器を分離し、（３）注射器を空にするために注射器プランジャを押し込み、（４）注射器をチューブに再び接続し、（５）つまみ塞ぎを解放して、（６）吸い込みを再び試みる。一方の手がチューブのつまみ塞ぎに占められるので、開業医は片手で操作を実行することを必要とするので、これは、良好な実施であると一般に考慮されない。分離する行為は構成要素がもはや無菌でありえないことを意味するので、この方法は、汚染の有限の危険度を導く可能性もある。
【００１１】
第２に、注射器を空にして再び試すために、開業医は、注射器プランジャを押し込むことによって、チューブを通して「吹き戻す」ことができる。それがチューブの遠位端で体腔の部位を膨らませる危険を冒し、そしていかなる場合も、手順を始めに戻すので、これも、良好な実施であると一般に考慮されない。
【００１２】
上記の回避方法のいずれも理想的でないことはいうまでもなく、したがって、注射器ベースのアスピレータのタイプの改良されたおよび／または他のタイプの必要性が存在する。
【発明の概要】
【課題を解決するための手段】
【００１３】
本発明の第１の態様は、入口、出口およびベントを備えて、動作的に相互接続している三方コネクタを含むバルブアセンブリであって、入口は、使用中、アスピレータ・チューブに動作的に接続可能であり、出口は、使用中、注射器に動作的に接続可能であり、ベントは、使用中、三方コネクタから出て行く流体の流れを許容する一方向バルブを備え、入口は、多孔性のまたは穿孔された要素を包含するレセプタクルを備え、多孔性のまたは穿孔された要素は、乾燥しているときに、三方コネクタへのガスの流入を許容するが、液体により濡れているときに、三方コネクタへの液体の流入を阻止するかまたは妨げ、前記多孔性のまたは穿孔された要素（６２）の抵抗は、前記一方向バルブ（７０）の抵抗よりも大きい、ことを特徴とする、バルブアセンブリ、を提供する。
【００１４】
本発明の第２の態様は、三方コネクタを含むバルブアセンブリの入口に動作的に接続されるアスピレータ・チューブを備えるアスピレータであって、三方コネクタは、使用中、注射器に動作的に接続可能な出口、および、使用中、三方コネクタから出て行く流体の流れを許容する一方向バルブを備えるベント、を追加的に備え、入口は、多孔性のまたは穿孔された要素を包含するレセプタクルを備え、多孔性のまたは穿孔された要素は、乾燥しているときに、三方コネクタへのガスの流入を許容するが、液体により濡れているときに、三方コネクタへの液体の流入を阻止するかまたは妨げる、アスピレータ、を提供する。
【００１５】
本発明の第３の態様は、三方コネクタを含むバルブアセンブリの入口に動作的に接続されるアスピレータ・チューブを備えるアスピレータであって、三方コネクタは、注射器に接続される出口、および、使用中、三方コネクタから出て行く流体の流れを許容する一方向バルブを備えるベント、を追加的に備え、入口は、多孔性のまたは穿孔された要素を包含するレセプタクルを備え、多孔性のまたは穿孔された要素は、乾燥しているときに、三方コネクタへのガスの流入を許容するが、液体により濡れているときに、三方コネクタへの液体の流入を阻止するかまたは妨げる、アスピレータ、を提供する。
本発明の第４の態様は、添付図面の図２〜図７を参照して上記されるように、そしてそれに例示されるように、実質的にバルブアセンブリ、を提供する。
【００１６】
後述するように、本発明の構成は、従来の注射器がポンプとして作用し得ることを可能にする。それにより、プランジャを引き上げると、即座に、流体（ガス、空気または液体）は、アスピレータ・チューブの上に引かれることができるが、しかし、注射器のプランジャを押し込むことで、注射器および三方コネクタの範囲内の流体は、ベントを経て排出される。本発明は、その特定の構成によって、周知の三方コネクタを越えて区別される。
【００１７】
注入手順において時々使われる、周知の、類似のタイプの二重チェックバルブの例は、Ｂｏｒｌａ社（伊）の「４１６６」、「４４１９」、「４６８７」および「４６８８」の反重力および反サイフォン・チェックバルブを含み、その一例を図面の図１に示す。
【００１８】
図１において、周知の三方コネクタ１０は、インライン装置として用いられて、三方コネクタを形成する中空の内部を有する本体部分１２を備える。コネクタ１０は、入口ポート１４を備え、使用中、点滴静注から導くチューブがそれに接続される。コネクタ１０は、ルアーロック・コネクタを備える出口ポート１６を含む。そしてそれは、点滴静注を与えるラインに接続する。このように、流体は、点滴静注バッグから与えるラインに、そしてそれから患者へと流れることが可能である。例えば、点滴静注バッグが患者の下方に位置する場合、そして、例えば、血液または他の体液が与えるラインに戻り流れて入口ポート１４を通って出ることなしに、点滴静注バッグの取り外しを可能にするために、一方向チェックバルブ１８は、出口ポート１６に組み込まれる。そしてそれは、体液を点滴静注バッグへとサイフォンにより吸い上げることを防止する。
【００１９】
側方入口ポート２０は、本体部分１２に供給する。側方入口ポート２０は、流体が接合へと流れ込むことを許容するが、しかしそれから戻らない、第２の一方向チェックバルブ２２も備える。側方入口ポート２０は、注射器がそれに接続されることができるためにルアーコネクタも備える。その結果、液体薬物は、点滴静注を与えるラインを介して患者に注射されることができる。しかしながら、注射器（図示せず）が分離されるときに、第２の一方向チェックバルブ２２は、点滴静注バッグ（入口に接続される）からの流体が側方入口ポート２０を経て逃げることを妨げる。
【００２０】
入口１４、出口１６および側方入口ポート２０の構成、そして第１のチェックバルブ１８および第２のチェックバルブ２２は、図示の接合がインライン装置として使用され得るだけのようなものである。そしてそれは、与えるラインへの流体の導入を許容する。事実、本発明がそうするように、それが注射器をポンプに変換するように機能することを可能にするために、注射器または管を周知の装置に接続する方法がない。
【００２１】
本発明のレセプタクルは、吸い込まれた流体および／またはガスおよび／または空気の量を包含するための中空の内方部分を適切に備える。
【００２２】
ここで本発明に戻って、設けられる注射器は、１００ｍｌ以下の、好ましくは５０ｍｌ以下の、そして最も好ましくは１０ｍｌ、５ｍｌまたは１ｍｌ以下の容量を適切に有する。
【００２３】
実施形態では、本発明は、以下によって周知のアスピレータの簡略化を提供する。多孔性のまたは穿孔された要素が三方コネクタの入口に配置されるので、ただ１つの一方向バルブが必要である。これは、注射器（または接続された注射器）が上下にポンプされるときに、アップストロークで注射器によりつくられる真空によって、流体（すなわち吸い込まれたガスおよび流体）がアスピレータ・チューブ（または接続されたアスピレータ・チューブ）の上に引かれることを意味する。しかしながら、注射器（または接続された注射器）が押し込まれるときに、注射器内からのガスは、三方コネクタに入り、そして２つの可能性がある出口ルートを有する。１つは、多孔性のまたは穿孔された要素を通って戻る（すなわちアスピレータ・チューブを戻り下る）ルートであり、もう１つは、一方向バルブを経てベントを通って外に出るルートである。にもかかわらず、多孔性のまたは穿孔された要素は、流体の流れに対して有限の抵抗を提供する。その抵抗は、装置のベントでの一方向バルブの抵抗よりも大きい。このように、排出されるガスが「最少の抵抗の経路」に続くので、注射器内からのガスは、アスピレータ・チューブを戻り下るのに優先してベントを通って排出される。多孔性のまたは穿孔された要素を装置の入口に配置することによって、これは、ただ１つの一方向バルブが必要であることを都合よく意味する。そしてそれは、構造を単純化することができて、部品数を合理化することができて、コストおよび複雑さを減らすこともできる。
【００２４】
多孔性のまたは穿孔された要素を装置の入口に配置することによって、吸い込まれた液体が三方コネクタに入ることができる前にそれが多孔性のまたは穿孔された要素によって阻止されるので、吸い込まれた液体は、三方コネクタに入ることができない。このように、レセプタクルが装置の残りのものから着脱可能に設けられるならば、装置の残りのものは、再利用されることができる。
【００２５】
本発明のレセプタクルは、多孔性のまたは穿孔された要素を備え、その要素は、空気またはガスが三方コネクタに入ることを許容するが、しかしその要素は、液体が三方コネクタへと通過することを阻止しておよび／または妨げる。
【００２６】
多孔性のまたは穿孔された要素は、空気透過膜を適切に含む。そしてそれは、空気を通過させるが、流体を通過させない。多孔性のまたは穿孔された要素は、乾燥しているときには、空気またはガスがその材料を通過することができる孔または穿孔を備えるが、例えば吸い込まれた液体によって濡れているときには、その液体が孔または穿孔を閉鎖して、これにより、流体（空気および／またはガスおよび／または液体）がそれを通過することを妨げる、材料（例えば紙）で適切に製造される。
【００２７】
この種の構成は、乾燥しているときには空気またはガスがそれを通過することができるが、濡れているときには流体がそれを通過するのを防止するためにセルフシールする、自動閉鎖バルブを都合よく提供する。
【００２８】
多孔性のまたは穿孔された要素は、標的物質との接触に応じて色を変える試薬またはテスト化学製品を含浸されてよい。こうした状況では、多孔性のまたは穿孔された要素は、例えば、観察窓またはレセプタクルの透明部分を通して、レセプタクルなしで適切に見られる。適切に、テスト化学製品は、標的物質（例えば、酸、塩基（アルカリ）、炭水化物、ブドウ糖、糖分、血液、鉄分、タンパク質、ケトン、ビリルビン、ウロビリノーゲン、硝酸塩、白血球、などの非徹底的なリストのうちの任意の１つ以上である）の存在を見つけるため検査することができる。
【００２９】
本発明の特定の実施形態において、多孔性のまたは穿孔された要素は、酸または塩基との接触で色が変わるリトマス試験紙から製造されてよい。本発明の多孔性のまたは穿孔された要素としてリトマス試験紙を使用することは、例えば、本発明が腸内アスピレータとして、または、鼻腔栄養チューブの一部として用いられるときに、それが胃酸の存在に対する検査に使われることを都合よく可能にする。
【００３０】
本発明のレセプタクルは、レセプタクルの中身がその外側から視覚的に検査されることができるために、観察窓を備えてよく、および／または、透明材料で少なくとも部分的に製造されてよい。
【００３１】
設けられるアスピレータ・チューブは、適切にフレキシブルチューブ（例えば、プラスチックまたはゴムチューブ）である。チューブは、適切に滅菌可能である。チューブは、適切に腸内アスピレータ・チューブまたは鼻腔栄養チューブである。
【００３２】
三方コネクタの入口、出口およびベントは、それに対して取り外し可能に接続する品目用のコネクタ（例えば、いずれも雄または雌の、「ルアーロック」コネクタ、バヨネット式の部品、ねじ、プッシュ式コネクタ）を適切に備える。この種の構成は、三方コネクタに対する品目の取り付けおよび取り外しを適切に容易にする。
【００３３】
適切に、入口は、腸内または鼻腔栄養チューブのコネクタに入口を接続するためのコネクタ（例えば雌のルアーロック・コネクタ）を備える。
【００３４】
適切に、出口は、腸内注射器にそれを接続するのに適したコネクタ（例えば雄のルアーまたはルアーロック・コネクタ）を備える。
【００３５】
本発明の実施形態では、バルブアセンブリは、いかなる標準の注射器もポンプへと効果的に変換する。そして、流体をチューブにそしてレセプタクルへとポンプアップするために、ピストンが繰り返し上下に引かれることができる。この種の構成は、流体を吸い込むために特大の注射器を使用しなければならないことを適切に回避して、および／または、それは、上記に概説した「分離−汚染」および「吹き戻し」の課題を適切に回避する。
【００３６】
本発明のさらに可能性がある利点は、それ自体、それが専用の電気ポンプユニットを必要とすることなく注射器をポンプに効果的に変換するということである。換言すれば、本発明は、安価なおよび／または、例えば電気ポンプ（電気ポンプはサンプルの小容積だけが必要とされるところで過剰である）に対する使い捨て可能な代替を提供することができる。
【００３７】
本発明の好ましい実施形態が、添付図面を参照して、例としてのみここで記載される。
【図面の簡単な説明】
【００３８】
【図１】図１は、周知の三方医療コネクタを通る部分断面図である。
【図２】図２は、本発明によるバルブアセンブリの動作を示す模式的な図である。
【図３】図３は、本発明によるバルブアセンブリの動作を示す模式的な図である。
【図４】図４は、本発明によるバルブアセンブリの動作を示す模式的な図である。
【図５】図５は、本発明によるバルブアセンブリの動作を示す模式的な図である。
【図６】図６は、本発明の実施形態の斜視図である。
【図７】図７は、図６に示すレセプタクルを通る断面図である。
【発明を実施するための形態】
【００３９】
ここで図２〜図５を参照すると、本発明によるバルブアセンブリ５０は、本体部分５２を備える。本体部分５２は、三方コネクタ５１を形成するために、直線状チューブ５４および直線状チューブ５４から延びる直角突起チューブ５６を備える。直線状チューブ５４の左端部（図面の）は、バルブアセンブリのための入口５８において終端する。バルブアセンブリのための入口５８は、使用において（図２〜図５に示されていないが）アスピレータ・チューブに接続される。入口５８は、最初は乾燥した多孔性のまたは穿孔された材料のディスク６２を含む中空の円筒状レセプタクル６０を有する。ディスク６２は、流体がディスク６２を迂回するのを防止するためにレセプタクル６０内に密封して取り付けられる。換言すれば、矢印６４によって示すように、入口５８を経てバルブアセンブリ５０に入る流体は、多孔性のまたは穿孔されたディスク６２の孔または穿孔を通過しなければならない。
【００４０】
直線状チューブ５４の右端部（図面の）は、バルブアセンブリのためのベント６６を形成する。一方向バルブ６８は、ベント６６に位置して、浮動性のディスク７０を備える。浮動性のディスク７０は、その周辺部が一方向バルブ６８の周辺エッジ７２を密封して係合する封止位置（図２に示すように）の間を移動することができるが、しかし、浮動性のディスク７０は、その周辺部が一方向バルブ６８の周辺エッジ７２を係合しない開放位置まで移動することができる。小さい三角形７４によって図面に図式的に示すケージまたは他の保持器７４によって、浮動性のディスク７０は、一方向バルブ６８の範囲内に保持される。
【００４１】
直角突起チューブ５６は、直線状チューブ５４と流体連通にあり、そしてその上端部（図面の）は、出口７６を形成する。出口７６は、チャンバ８０およびプランジャ８２を備える注射器７８に接続される。
【００４２】
バルブアセンブリ５０は、以下の通り、図２〜図５のシーケンスにしたがって作動される。まず、図２に示すように、注射器プランジャ８２は、引き上げられる８４。そして、三方コネクタ５１のチューブ５４、５６の範囲内に真空８６をつくる。真空８８は、一方向バルブ６８を閉じさせて、結果として、プランジャ８２がそのストロークの頂部に達するまで、流体は、入口５８の方へアスピレータ・チューブ（図示せず）の上に引かれる。
【００４３】
図３では、プランジャ８２は押し込まれ、したがって、吸い込まれた流体（ガス／空気）を三方コネクタ５１のチューブ５４、５６へと押し戻して、これによりそれを加圧する９２。矢印９４によって示すように、加圧ガス９２は、一方向バルブ（そのディスク７０が今「開放」位置へ移動する）を介して、漏れることができる。加圧ガス９２は、入口５８を経て漏れようとしてもよい。しかし、矢印９６によって示すように、多孔性のまたは穿孔された要素６２の存在は、この種の流れに対する有限の抵抗をつくる。したがって、加圧ガス９２は、「最少の抵抗の経路」をたどることによってベント６６を経て排出される。換言すれば、多孔性のまたは穿孔された要素６２の抵抗が一方向バルブ６８の抵抗よりも大きいので、多孔性のまたは穿孔された要素６２は、驚くべきことに、一方向バルブと同様の方法で機能すると分かった。したがって、バルブアセンブリ５０の入口５８での付加的な一方向バルブを不要にする。
【００４４】
注射器プランジャ８２の引き上げ８４および押し込み９０は、繰り返されることができる。そして、バルブアセンブリ５０は、流体を吸い込むためのポンプへと注射器を効果的に変換する。
【００４５】
最終的に、若干の液体は、吸い込まれてよい。図４に示すように、そしてこれが起こるときに、多孔性のまたは穿孔された要素６２は、湿ったようになる。これにより、その孔および／または穿孔（図４および図５に黒い陰線によって示すように）をブロックする。これは、バルブアセンブリの入口５８に妨害物を作る。これにより、オペレータが注射器プランジャ８２を引き上げ８４続けることを困難にする。これは、２つの役立つそして予想外の目的にかなう。第１に、それは、手順が終了していることの触覚フィードバックをオペレータに提供する。そして第２に、それは、吸い込まれた液体（および実際に固体）がバルブアセンブリの本体５１に入ることを防止する。そうでないと、注射器を汚染することができて、チューブ５４、５６を詰まらせるかまたは一方向バルブ６８を詰まらせる（すなわち、開放保持または閉鎖保持）。この後者の効果はまた、レセプタクル６０が交換されて、バルブアセンブリの本体および注射器は、再利用され得ることを意味する。そしてそれは、廃棄物を減らす。
【００４６】
オペレータが注射器を「ポンプし」続ける場合、図５に示すように、多孔性のまたは穿孔された要素６２の妨害物は、圧縮空気９２が矢印９４で示すようにベント６６を経て排出され得るだけのことを意味する、圧縮空気９２がアスピレータ・チューブ（図示せず）を後ろに吹き倒すのを防止する。
【００４７】
図６は、本発明による三方バルブアセンブリ５０の実施形態を示す。そしてそれは、先に記載されたＴ字路を形成する本体部分５１を含む。バルブアセンブリ５０は、雌のルアーロック・コネクタ１００を含む入口ポート５８を有する。雌のルアーロック・コネクタ１００には、腸内または鼻腔栄養チューブ（図示せず）の雄のルアーロック・コネクタ（図示せず）が接続される。
【００４８】
レセプタクル６０は、透明なプラスチック材料から形成されて、入口ポート５８と本体部分５１との間に配置される。透明材料からレセプタクル６０を作ることによって、その中の多孔性のまたは穿孔されたディスク６２は、オペレータの目に見える。
【００４９】
ベント６６は、ルアーロック・コネクタ１０１を付加的に備える。但し、吸い込まれたガスが日常的な使用において集められることを必要としそうもないので、これは不可欠でない。但し、これが必要であるいくらかの診断があってもよい。
【００５０】
図７において、レセプタクル６０は、中空の内部容積１１４を形成するために一緒にスナップ嵌合する２つの構成要素１１０、１１２から形成されることが分かる。２つの構成要素１１０、１１２の周辺エッジ１１６は、各々内部リップ１１８を備える。２つの構成要素が一緒にスナップ嵌合するときに、内部リップ１１８は、相互間にディスク６２のエッジを密封してクランプする一対の対向する当接面を形成する。
【００５１】
ディスク６２は、概して、計測記録用紙（例えばリトマス試験紙）から形成される。乾燥しているときに、計測記録用紙の孔または穿孔は、空気または他のガスがそれを通過することを許容する。しかし、吸い込まれた液体によって濡れているときに、計測記録用紙の孔および／または穿孔は、先に記載したように閉鎖される。
【００５２】
このように、多孔性のまたは穿孔された要素６２は、乾燥流体がレセプタクル６２に入ることを許容するが、濡れているときに自動的に閉鎖する、自動閉鎖バルブを都合よく提供する。
【００５３】
さらに、レセプタクル６０の２つの構成要素１１０、１１２のうちの少なくとも１つが透明なプラスチック材料から製造されるので、計測記録用紙ディスク６２の色は、ユーザによって直ちに検査されることができる。このように、色は計測記録用紙６２において変化する。そして、特定の標的物質（例えば胃酸）の有無が目視検査で直ちに測定されることができることを示す。
【００５４】
バルブアセンブリ５０の出口５６は、注射器の補完的な雌のルアー・コネクタ（図示せず）と係合する雄のルアーロック・コネクタ１２０を備える。内部的にねじ切りしたロッキングバレル１２２も、出口５６に設けられる。そしてそれは、注射器先端（図示せず）の補完的な外部のねじ切りしたねじと係合する。概して注射器（図示せず）は、周知の方法において、注射器シリンダの内側壁と密封してかつ摺動しながら係合するプランジャ８２を備える。
【００５５】
使用中、腸内チューブ（図示せず）は体腔へと入れられる。そしてそのコネクタは、バルブアセンブリ５０の入口５４のコネクタ１００に接続される。それから、注射器９６は、先に記載されたバレル１２２用いてバルブアセンブリ５０の出口５４に接続される。これは、本発明によるアスピレータを形成する。
【００５６】
入口、出口およびベントの配置は、本発明の動作に対する材料でない。出口がＴ字路の突起脚部上のベントと、入口とインラインであり得ることは、直ちに明らかである。
【００５７】
アスピレータ・チューブ（例えば鼻腔栄養チューブ）は、患者に挿入されることができる。そして、アップストロークにおいて腸内チューブを通って流体を引き上げて、そして各ダウンストロークにおいてベントを通って流体（最初にガス）を排出するために、アスピレータの中で真空８８および過度の圧力９２を作成するために、次いで、オペレータは、注射器プランジャ８２を繰り返し押し込むことができて、引き出すことができる。最終的に、液体は、腸内チューブを介して身体から吸い出されることができる。そしてその液体は、入口開口を経てレセプタクルに入る。したがって、計測記録用紙６２を濡れて、これにより、その液体の診断試験（例えば胃酸のためのチェック）を提供して、それと同時に、計測記録用紙の濡れおよび先に記載された方法でそれを詰まらせることによって入口開口を自動的に閉鎖する。この点で、入口は、効果的に「閉じる」。これにより、注射器プランジャ８２のさらなる引き上げを防止するかまたは阻止する。そして、吸い出しが終了したことをオペレータに自動的に知らせる。濡れた多孔性のまたは穿孔された要素のブロッキング効果はまた、吸い出された流体が腸内チューブまたは鼻腔栄養チューブに押し戻されるのを阻止するまたは不可能にすることを提供する。したがって、装置５０の一「方向の性質」に起因して、それは、使用の際に殺菌されることが必ずしも必要ではない。但し、殺菌は、もちろん、特定の状況では望ましい。
【００５８】
本発明は、このように、流体を吸い出す課題のために便利な解決法を提供して、上で概説される課題のうちの１つ以上を対象にする。
【００５９】
本発明は、前述の実施形態の詳細に制限されない。そしてそれは、本発明の単に例示である。例えば、いかなる形状、サイズ、相対寸法その他も、例示されて、そして制限されない。そのことは、いかなる材質選定および／またはデザイン選択（例えばチェックバルブのタイプ）でもある。
【図１】
0006619351.tif 000002
【図２】
0006619351.tif 000003
【図３】
0006619351.tif 000004
【図４】
0006619351.tif 000005
【図５】
0006619351.tif 000006
【図６】
0006619351.tif 000007
【図７】
0006619351.tif 000008